(57)【要約】【課題】　回転体と大入賞口とを備えた遊技機において、興趣を高めることができる遊技機を提供する。【解決手段】　大入賞口の扉１５０には、該扉１５０の閉状態で回転体カバー１４６の第１遊技球排出部１４６ｂを閉成するカバー補助部材１５２が設けられているため、遊技球保持部１４４に保持されている遊技球が第１遊技球排出部１４６ｂから排出されたり排出されなかったりするので、回転体の遊技球保持部１４４に保持された遊技球の入賞経路を変化に富んだものにすることができる。更に、大入賞口の扉の上昇により、カバー補助部材によって遊技球が入賞口に送られ、大入賞口の扉の下降により、遊技球が第２の開口から排出されるので、回転体の遊技球保持部に保持された遊技球の通過経路を変化に富んだものにすることができる。【選択図】　図３
2004000782.tif 000002
【特許請求の範囲】
【請求項１】
遊技球が保持可能な回転体と、扉の開閉により遊技者に不利な状態と有利な状態とを提供する大入賞口とを備える遊技機において、
　前記回転体と前記大入賞口とを一体的に設け、
　前記大入賞口の昇降により、回転体に保持された遊技球の入賞経路又は通過経路が変化することを特徴とする遊技機。
【請求項２】
前記回転体は、回転体本体と、回転体本体の側面を覆う回転体カバーと、遊技球を保持する複数の遊技球保持部とからなり、
　前記回転体カバーには、第１の開口と、第１開口に隣接させ回転体の回転方向の下流側に設けられた第２の開口とが設けられており、
　前記大入賞口には扉が設けられており、その扉には扉の閉状態で前記回転体カバーの第１の開口を閉成するカバー補助部材が設けられており、
　前記回転体の内側には入賞口が設けられており、
　前記扉の上昇により前記カバー補助部材を上昇させ、前記遊技球保持部に保持させた遊技球を前記入賞口へ案内し、前記扉の下降により前記カバー補助部材を下降させ、前記遊技球保持部に保持された遊技球を前記第２の開口から排出させることを特徴とする請求項１に記載の遊技機。
【発明の詳細な説明】
【技術分野】
【０００１】
　この発明は、回転体を備えた遊技機、特に回転体と大入賞口とを備えた遊技機に関する。
【背景技術】
【０００２】
　従来、上記遊技機として、所定条件の成立により権利が発生すると第３種始動領域が有効となり、その第３種始動領域に入賞することで、大入賞口が開口する、いわゆる第３種遊技機が知られている。その第３種遊技機では、開口した大入賞口は、開口から１０秒経過するか、又は、１０球の入賞により閉口する。この第３種始動領域への入賞による大入賞口の開口から閉口までの所謂ラウンドを、所定回数（例えば、１６回）繰り返す。
【０００３】
　ここで、大入賞口の開口中に第３種始動領域への入賞があると、大入賞口が閉口し、次のラウンドに移行するため、実行可能なラウンド回数が減少する。かかる遊技者への不利益を避けるため、第３種始動領域として、大入賞口の上方に回転体を設けた構成が一般的に用いられている。その回転体の周面には、遊技球を保持する遊技球保持部が設けられており、回転体の裏面の遊技盤には第３種始動領域が設けられている。そして、遊技球保持部に保持されている遊技球が、保持されてから第３種始動領域に入賞するまで１０秒以上かかるように回転体を回転させることにより、第３種始動領域への入賞から１０秒以内に次の入賞が発生しないようにし、大入賞口の１０秒の開放時間を担保している。
【０００４】
【特許文献１】特開平０８−０８４８３０号公報
【発明の開示】
【発明が解決しようとする課題】
【０００５】
　しかしながら、回転体には、遊技球保持部が１つしか形成されていないため、第３種始動領域に入賞させるためには、回転体の遊技球保持部が上方を指向している際に遊技球を発射して遊技球保持部へ遊技球を保持させ、かつ、回転体が回転し、遊技球保持部に保持された遊技球が第３種始動領域に案内されるまで待つ必要がある。このために、遊技者は、一般に、回転体の遊技球保持部が上方に位置している際にのみ遊技球を発射し、遊技球保持部に遊技球が保持された後には、遊技球の発射を停止している。即ち、遊技球の発射が一旦停止されるため、遊技の速やかな進行が妨げられ、興趣を削いでいた。また、回転体は、単に、遊技球保持部に保持されている遊技球が第３種始動領域に入賞するまでに１０秒間が確保されるようにするためにのみ用いられており、動作が単純であった。
【０００６】
　この発明は、上述した課題を解決するためになされたものであり、その目的とするところは、回転体と大入賞口とを備えた遊技機において、興趣を高めることができる遊技機を提供することを目的とする。
【課題を解決するための手段】
【０００７】
　上記課題を解決するため、請求項１の発明は、遊技球が保持可能な回転体と、扉の開閉により遊技者に不利な状態と有利な状態とを提供する大入賞口とを備える遊技機において、前記回転体と前記大入賞口とを一体的に設け、前記大入賞口の昇降により、回転体に保持された遊技球の入賞経路又は通過経路が変化することを技術的特徴とする。
【０００８】
　請求項２の発明は、請求項１の発明において、前記回転体は、回転体本体と、回転体本体の側面を覆う回転体カバーと、遊技球を保持する複数の遊技球保持部とからなり、前記回転体カバーには、第１の開口と、第１開口に隣接させ回転体の回転方向の下流側に設けられた第２の開口とが設けられており、前記大入賞口には扉が設けられており、その扉には扉の閉状態で前記回転体カバーの第１の開口を閉成するカバー補助部材が設けられており、前記回転体の内側には入賞口が設けられており、前記扉の上昇により前記カバー補助部材を上昇させ、前記遊技球保持部に保持させた遊技球を前記入賞口へ案内し、前記扉の下降により前記カバー補助部材を下降させ、前記遊技球保持部に保持された遊技球を前記第２の開口から排出させることを技術的特徴とする。
【発明の効果】
【０００９】
　請求項１の発明によれば、回転体と前記大入賞口とを一体的に設け、大入賞口の昇降により、回転体に保持された遊技球の入賞経路又は通過経路が変化するため、遊技の興趣を高めることができる。
【００１０】
　請求項２の発明によれば、回転体に複数の遊技球保持部を設けているため、常に遊技球を保持することができるので、権利が発生した際に、遊技球保持部に保持されていた遊技球が入賞口に入賞し、次の遊技球が保持可能になるまで遊技球の発射を停止する必要がなくなる。即ち、遊技を速やかに進行させることができる。
　また、大入賞口の扉には、該扉の閉状態で回転体カバーの第１の開口を閉成するカバー補助部材が設けられているため、遊技球保持部に保持されている遊技球が上記開口から排出されたり排出されなかったりするので、回転体の遊技球保持部に保持された遊技球の入賞経路が変化に富む。更に、大入賞口の扉の上昇により、カバー補助部材によって遊技球が入賞口に送られ、大入賞口の扉の下降により、遊技球が第２の開口から排出されるので、回転体の遊技球保持部に保持された遊技球の通過経路が変化に富む。
　従って、請求項２の発明によれば、遊技の興趣を高めることができる。
　なお、大入賞口の扉の下降により、遊技球が第２の開口から排出されるので、入賞個数を調整することもできる。
【発明を実施するための最良の形態】
【００１１】
　以下、本発明のパチンコ機の実施形態について図を参照して説明する。
　以下の実施形態では、本発明のパチンコ機として、第３種のパチンコ機を代表に説明する。まず、実施形態のパチンコ機の主要構成について、本実施形態のパチンコ機の遊技領域を正面から見た説明図である図１を参照して説明する。
【００１２】
　パチンコ機１１０の遊技盤１２の略中央には、普通図柄表示装置２０が配置され、普通図柄表示装置２０の下方には、普通図柄表示装置２０の図柄表示領域２０ａの図柄を変動開始させる普通図柄始動領域２２が設けられている。普通図柄始動領域２２の下方には、変動入賞装置３０が設けられている。変動入賞装置３０の左右には、入賞口１８，１９が設けられている。また、普通図柄表示装置２０の右側には、第３種始動領域及び大入賞口１４０が設けられ、左側には、入賞口１４，１６が設けられている。
【００１３】
　普通図柄表示装置２０の図柄表示領域２０ａは、普通図柄始動領域２２への遊技球の通過により、０〜９の図柄を図柄列Ａ、Ｂ、Ｃで変動させ、変動開始後、所定時間の経過により図柄列ＡＢＣを順次停止させる。表示された図柄が、同じ数字の組み合わせ（例えば、１１１）の場合、当たりとなり、変動入賞装置３０の可動翼３２が開放される。
【００１４】
　この変動入賞装置３０の構成について、図２を参照して説明する。図２（Ａ）は、変動入賞装置３０の可動翼３２の閉鎖中を、図２（Ｂ）は、可動翼３２の開放中を、図２（Ｃ）は、可動翼３２の開口後、所定時間経過（例えば６秒）後の閉鎖時を示している。図２（Ａ）に示すように、変動入賞装置３０の内部には、入賞した遊技球を一時保持するための遊技球受入保留装置３４と、賞球を払い出すための一般入賞領域３６と、権利を発生させる特別装置作動領域３８とが設けられている。
【００１５】
　上述したように、普通図柄表示装置２０の図柄表示領域２０ａの図柄が当たりとなると、変動入賞装置３０の可動翼３２が開放される。変動入賞装置３０に最初に入った遊技球Ｐは、先ず、図２（Ｂ）に示すように遊技球受入保留装置３４に受け止められる。続いて変動入賞装置３０に受け入れられた遊技球は、遊技球受入保留装置３４に遊技球Ｐがあるため、図中右側の一般入賞領域３６側に入賞し、賞球が払い出される。所定時間（例えば６秒）が経過すると、可動翼３２が閉鎖され、同時に、図２（Ｃ）に示すように、遊技球受入保留装置３４が図中反時計方向に３０度傾き、該遊技球受入保留装置３４に受け入れられていた遊技球Ｐが、特別装置作動領域３８側へ誘導される。遊技球Ｐが特別装置作動領域３８で検出されると、特別装置が作動し、権利が発生する。
【００１６】
　権利発生により、第３種始動領域及び大入賞口１４０に設けられている第３種始動領域１４８が有効になる。このため、遊技者は、遊技球を図１に示す遊技盤１２の右側に配設された第３種始動領域及び大入賞口１４０側に向けて発射する所謂右打ちを行う。この第３種始動領域及び大入賞口１４０の構成について、図３及び図４を参照して説明する。
【００１７】
　図３（Ａ）は、権利が発生していない状態の第３種始動領域及び大入賞口１４０を示す正面図であり、図３（Ｂ）は、図３（Ａ）に示す第３種始動領域及び大入賞口１４０の斜視図である。図４（Ａ）は、権利発生状態の第３種始動領域及び大入賞口１４０を示す正面図であり、図４（Ｂ）は、大入賞口の開口中の第３種始動領域及び大入賞口１４０の斜視図である。
【００１８】
　図３（Ａ）に示すように回転体本体１４２は、４箇所の遊技球保持部１４４を備える。回転体本体１４２の側部には、回転体カバー１４６が配設されている。回転体カバー１４６の上側には、遊技球を受け入れるための遊技球受入部１４６ａが、下側には、遊技球を排出するための第１遊技球排出部１４６ｂ、該第１遊技球排出部１４６ｂに隣接し、回転体本体１４２の回転方向の下流側に第２遊技球排出部１４６ｃが形成されている。回転体本体１４２は、図示しないモータにより、時計方向に回転される。
【００１９】
　回転体本体１４２の下方には、大入賞口を構成する扉１５０が設けられており、該扉１５０には、上述した回転体カバー１４６の第１遊技球排出部１４６ｂからの遊技球の落下を防ぐためのカバー補助部材１５２が配設されている。即ち、図３に示すように、大入賞口１５０の閉口中は、該カバー補助部材１５２により、回転体カバー１４６の第１遊技球排出部１４６ｂからの遊技球の落下が防がれる。
【００２０】
　回転体本体１４２の裏面側の遊技盤面には、大入賞口１５０を開口させるための第３種始動領域１４８が、通常時の遊技球の通過経路よりも４mm高い位置に形成されている。権利発生中に第３種始動領域１４８で遊技球が検出されると、大入賞口１５０が開放される。なお、権利が発生していない間は、第３種始動領域１４８は通常の入賞口として機能する。
【００２１】
　また、大入賞口を構成する扉１５０は、権利発生状態において５mm上昇し、権利が消滅すると下降するように構成されている。ここで、権利が発生していない状態においては、図３（Ａ）に示すように、回転体本体１４２の遊技球保持部１４４に保持された遊技球は、カバー補助部材１５２によって回転体カバー１４６の第１遊技球排出部１４６ｂからの遊技球の落下を防がれ、該第１遊技球排出部１４６ｂに隣接する第２遊技球排出部１４６ｃから排出される。
【００２２】
　一方、権利発生中で、且つ、大入賞口１５０が閉口している時には、図４（Ａ）に示すように、回転体本体１４２の遊技球保持部１４４に保持された遊技球は、カバー補助部材１５２によって持ち上げられ、第３種始動領域１４８へ案内される。この第３種始動領域１４８で、遊技球が検出されると、大入賞口１５０が開放される。
【００２３】
　図４（Ｂ）に示すように開放中の大入賞口１５０へは、上述した回転体本体１４２の遊技球保持部１４４に保持された遊技球が、第１遊技球排出部１４６ｂから排出されて入賞し、また、回転体本体１４２以外からも入賞する。そして、１０球の入賞、または、所定時間（１０秒）の経過により、大入賞口１５０が閉じ１ラウンドが終了する。大入賞口１５０が閉じることで、大入賞口１５０のカバー補助部材１５２により、回転体カバー１４６の第１遊技球排出部１４６ｂからの遊技球の落下が防がれ、回転体本体１４２の遊技球保持部１４４に保持された遊技球が、第３種始動領域１４８まで誘導されて、第３種始動領域１４８で遊技球が検出されることで、次ラウンドに進み、大入賞口１５０が開放される。このラウンドを所定回数（例えば、１６回）繰り返すことで、権利が消滅し、大当たり遊技が終了となる。
【００２４】
　以上のように、パチンコ機１０を使用すれば、回転体と大入賞口とを一体的に設け、大入賞口１５０の昇降により、回転体に保持された遊技球の入賞経路又は通過経路が変化するため、遊技の興趣を高めることができる。
　特に、大入賞口の扉１５０には、該扉１５０の閉状態で回転体カバー１４６の第１遊技球排出部１４６ｂを閉成するカバー補助部材１５２が設けられているため、遊技球保持部１４４に保持されている遊技球が第１遊技球排出部１４６ｂから排出されたり排出されなかったりするので、回転体の遊技球保持部１４４に保持された遊技球の入賞経路を変化に富んだものにすることができる。更に、大入賞口の扉の上昇により、カバー補助部材によって遊技球が入賞口に送られ、大入賞口の扉の下降により、遊技球が第２の開口から排出されるので、回転体の遊技球保持部に保持された遊技球の通過経路を変化に富んだものにすることができる。
【００２５】
　しかも、回転体に複数の遊技球保持部１４４を設けているため、常に遊技球を保持することができる。
　従って、遊技球保持部が１個しか設けられていない従来の遊技機のように、権利が発生した際に遊技球保持部に保持されていた遊技球が第３種始動領域に入賞し、次の遊技球が保持可能になるまで遊技球の発射を停止する必要がなくなる。即ち、遊技を速やかに進行させることができるため、遊技の興趣を高めることができる。
【００２６】
　また、権利が発生していない状態において、大入賞口１５０に伴いカバー補助部材１５２を下げることで、遊技球を第２遊技球排出部１４６ｃから排出することができる。
　従って、回転体本体１４２に遊技球保持部１４４を４個設けても、入賞数が過大になることがない利点がある。
【図面の簡単な説明】
【００２７】
【図１】本発明の実施形態に係るパチンコ機の遊技領域の正面図である。
【図２】図２（Ａ）は、変動入賞装置３０の可動翼３２の閉鎖中を、図２（Ｂ）は、可動翼３２の開放中を、図２（Ｃ）は、可動翼３２の開口後、所定時間経過後の閉鎖時を示している。
【図３】図３（Ａ）は、権利が発生していない状態の第３種始動領域及び大入賞口１４０を示す正面図であり、図３（Ｂ）は、図３（Ａ）に示す第３種始動領域及び大入賞口１４０の斜視図である。
【図４】図４（Ａ）は、権利発生状態の第３種始動領域及び大入賞口１４０を示す正面図であり、図４（Ｂ）は、大入賞口の開口中の第３種始動領域及び大入賞口１４０の斜視図である。
【符号の説明】
【００２８】
　１０　　パチンコ機
　１２　　遊技盤
　２０　　普通図柄表示装置
　２０ａ　図柄表示領域
　２２　　普通図柄始動領域
　３０　　変動入賞装置
１４０　　第３種始動領域及び大入賞口
１４２　　回転体本体
１４４　　遊技球保持部
１４６ａ　遊技球受入部
１４６ｂ　第１遊技球排出部
１４６ｃ　第２遊技球排出部
１４８　　第３種始動領域
１５０　　大入賞口（扉）
１５２　　カバー補助部材
【図１】
2004000782.tif 000003
【図２】
2004000782.tif 000004
【図３】
2004000782.tif 000005
【図４】
2004000782.tif 000006